(57)【要約】【課題】移動局からの要求に応じて位置情報を提供する測位サービスにおける測位遅延を低減する。【解決手段】本発明に係る移動局ＵＥは、移動管理用ノードＭＭＥから受信した「Ａｔｔａｃｈ  Ａｃｃｅｐｔ」或いは「ＴＡＵ  Ａｃｃｅｐｔ」に含まれる「ＥＰＣ-ＭＯ-ＬＲサポート」に基づいて、Ｅ-ＵＴＲＡＮ方式の移動通信システム「ＥＰＣ-ＭＯ-ＬＲ」がサポートされていないと判定した場合に、Ｅ-ＵＴＲＡＮ方式の移動通信システムにおいてコネクションを確立した後、Ｅ-ＵＴＲＡＮ方式からＵＴＲＡＮ方式に切り替え、交換局ＳＧＳＮ/ＭＳＣに対して、「ＮＡＳ  ＭＯ-ＬＲ  Ｒｅｑｕｅｓｔ」を送信するように構成されている制御部１２を具備する。【選択図】図２
2011188512.tif 000002
【特許請求の範囲】
【請求項１】
移動局が、回線交換サービスに対応していない第１通信方式のコアネットワーク装置から受信した位置登録受付信号或いは位置情報更新受付信号に含まれるネットワーク能力情報に基づいて、該第１通信方式の移動通信システムにおいて所定移動局からの要求に応じて位置情報を提供する測位サービスがサポートされていないと判定した場合に、該第１通信方式の移動通信システムにおいてコネクションを確立した後、該第１通信方式から回線交換サービスに対応している第２通信方式に切り替え、該第２通信方式のコアネットワーク装置に対して、該測位サービスの利用要求信号を送信する工程を有することを特徴とする移動通信方法。
【発明の詳細な説明】
【技術分野】
【０００１】
本発明は、移動通信方法及び移動局に関する。
【背景技術】
【０００２】
Ｅ-ＵＴＲＡＮ方式の移動通信システムは、所定移動局からの要求に応じて位置情報を提供する測位サービスである「ＥＰＣ-ＭＯ-ＬＲ」を提供するように構成されている。
【０００３】
また、Ｅ-ＵＴＲＡＮ方式の移動通信システムでは、移動局ＵＥが、ＵＴＲＡＮ方式の移動通信システムで所定移動局からの要求に応じて位置情報を提供する測位サービスである「ＭＯ-ＬＲ」を利用するために「ＣＳ  Ｆａｌｌｂａｃｋ処理」を行うことができるように規定されている。
【先行技術文献】
【非特許文献】
【０００４】
【非特許文献１】３ＧＰＰ  ＴＳ２３.２７２
【発明の概要】
【発明が解決しようとする課題】
【０００５】
しかしながら、上述の移動通信システムでは、Ｅ-ＵＴＲＡＮ方式で待ち受けを行っている移動局ＵＥが「ＭＯ-ＬＲ」を利用するに際して、どのような場合に「ＣＳ  Ｆａｌｌｂａｃｋ処理」を行うべきであるかについて規定されていない。
【０００６】
したがって、移動局ＵＥによっては、Ｅ-ＵＴＲＡＮ方式において「ＥＰＣ-ＭＯ-ＬＲ」がサポートされている場合であっても、「ＣＳ  Ｆａｌｌｂａｃｋ処理」を起動し、ＵＴＲＡＮ方式の移動通信システムで「ＭＯ-ＬＲ」を利用してしまうため、「ＣＳ  Ｆａｌｌｂａｃｋ処理」を行うことなくＥ-ＵＴＲＡＮ方式の移動通信システムで「ＥＰＣ-ＭＯ-ＬＲ」を利用する場合と比べて、測位遅延が増大してしまうという問題点があった。
【０００７】
また、上述の測位サービスを実施する通信システムを、ネットワークオペレータが指示することができないという問題点があった。
【０００８】
そこで、本発明は、上述の課題に鑑みてなされたものであり、移動局からの要求に応じて位置情報を提供する測位サービスにおける測位遅延を低減することができる移動通信方法及び移動局を提供することを目的とする。
【課題を解決するための手段】
【０００９】
本発明の第１の特徴は、移動通信方法であって、移動局が、回線交換サービスに対応していない第１通信方式のコアネットワーク装置から受信した位置登録受付信号或いは位置情報更新受付信号に含まれるネットワーク能力情報に基づいて、該第１通信方式の移動通信システムにおいて所定移動局からの要求に応じて位置情報を提供する測位サービスがサポートされていないと判定した場合に、該第１通信方式の移動通信システムにおいてコネクションを確立した後、該第１通信方式から回線交換サービスに対応している第２通信方式に切り替え、該第２通信方式のコアネットワーク装置に対して、該測位サービスの利用要求信号を送信する工程を有することを要旨とする。
【００１０】
本発明の第２の特徴は、移動通信方法であって、移動局が、回線交換サービスに対応している第２通信方式のコアネットワーク装置から、位置登録受付信号或いは位置情報更新受付信号を受信する工程Ａと、前記移動局が、前記第１通信方式の移動通信システムにおいてコネクションを確立し、前記第２通信方式から回線交換サービスに対応していない第１通信方式に切り替え後に、前記位置登録受付信号或いは前記位置情報更新受付信号に含まれるネットワーク能力情報に基づいて、該第１通信方式の移動通信システムにおいて所定移動局からの要求に応じて位置情報を提供する測位サービスがサポートされていないと判定した場合に、該第１通信方式から前記第２通信方式に切り替え、該第２通信方式のコアネットワーク装置に対して、前記測位サービスの利用要求信号を送信する工程Ｃとを有することを要旨とする。
【００１１】
本発明の第３の特徴は、移動通信方法であって、移動局が、回線交換サービスに対応していない第１通信方式のコアネットワーク装置から受信したサービス拒絶信号に含まれるネットワーク能力情報に基づいて、該第１通信方式の移動通信システムにおいて所定移動局からの要求に応じて位置情報を提供する測位サービスがサポートされていないと判定した場合に、該第１通信方式の移動通信システムにおいてコネクションを確立した後、該第１通信方式から回線交換サービスに対応している第２通信方式に切り替え、該第２通信方式のコアネットワーク装置に対して、該測位サービスの利用要求信号を送信する工程を有することを要旨とする。
【００１２】
本発明の第４の特徴は、移動局であって、回線交換サービスに対応していない第１通信方式のコアネットワーク装置から受信した位置登録受付信号或いは位置情報更新受付信号に含まれるネットワーク能力情報に基づいて、該第１通信方式の移動通信システムにおいて所定移動局からの要求に応じて位置情報を提供する測位サービスがサポートされていないと判定した場合に、該第１通信方式の移動通信システムにおいてコネクションを確立した後、該第１通信方式から回線交換サービスに対応している第２通信方式に切り替え、該第２通信方式のコアネットワーク装置に対して、該測位サービスの利用要求信号を送信するように構成されている制御部を具備することを要旨とする。
【００１３】
本発明の第５の特徴は、移動局であって、回線交換サービスに対応している第２通信方式のコアネットワーク装置から、位置登録受付信号或いは位置情報更新受付信号を受信するように構成されている受信部と、回線交換サービスに対応していない第１通信方式においてコネクションを確立した後、前記位置登録受付信号或いは前記位置情報更新受付信号に含まれるネットワーク能力情報に基づいて、該第１通信方式の移動通信システムにおいて所定移動局からの要求に応じて位置情報を提供する測位サービスがサポートされていないと判定した場合に、該第１通信方式から前記第２通信方式に切り替え、該第２通信方式のコアネットワーク装置に対して、前記測位サービスの利用要求信号を送信するように構成されている制御部とを具備することを要旨とする。
【００１４】
本発明の第６の特徴は、移動局であって、回線交換サービスに対応していない第１通信方式のコアネットワーク装置から受信したサービス拒絶信号に含まれるネットワーク能力情報に基づいて、該第１通信方式の移動通信システムにおいて所定移動局からの要求に応じて位置情報を提供する測位サービスがサポートされていないと判定した場合に、該第１通信方式の移動通信システムにおいてコネクションを確立した後、該第１通信方式から回線交換サービスに対応している第２通信方式に切り替え、該第２通信方式のコアネットワーク装置に対して、該測位サービスの利用要求信号を送信するように構成されている制御部を具備することを要旨とする。
【発明の効果】
【００１５】
以上説明したように、本発明によれば、「ＥＰＣ-ＭＯ-ＬＲ」における測位遅延を低減することができる移動通信方法及び移動局を提供することができる。
【図面の簡単な説明】
【００１６】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムにおけるＣＳ  Ｆａｌｌｂａｃｋ手順を示すシーケンス図である。
【図４】本発明の第１の実施形態に係る移動通信システムにおけるＭＯ-ＬＯ手順を示すシーケンス図である。
【図５】本発明の第１の実施形態に係る移動通信システムにおけるＭＯ-ＬＯ手順を示すシーケンス図である。
【図６】本発明の第１の実施形態に係る移動通信システムの動作を示すシーケンス図である。
【図７】本発明の第１の実施形態に係る移動通信システムの動作を示すシーケンス図である。
【図８】本発明の第１の実施形態に係る移動局の機能ブロック図である。
【図９】本発明の第１の実施形態に係る移動局の動作を示すフローチャートである。
【発明を実施するための形態】
【００１７】
（本発明の第１の実施形態に係る移動通信システム）
図１乃至図９を参照して、本発明の第１の実施形態に係る移動通信システムについて説明する。
【００１８】
本実施形態に係る移動通信システムは、Ｅ-ＵＴＲＡＮ方式の移動通信システム及びＵＴＲＡＮ方式の移動通信システムによって構成されている。
【００１９】
図１に示すように、本実施形態に係る移動通信システムには、ＬＣＳ（Ｌｏｃａｔｉｏｎ  Ｓｅｒｖｉｃｅｓ）クライアントや、ＧＭＬＣ（Ｇａｔｅｗａｙ  Ｍｏｂｉｌｅ  Ｌｏｃａｔｉｏｎ  Ｃｅｎｔｅｒ）や、Ｈ-ＧＭＬＣや、Ｖ-ＧＭＬＣや、ＨＬＲ（Ｈｏｍｅ  Ｌｏｃａｔｉｏｎ  Ｒｅｇｉｓｔｅｒ）/ＨＳＳ（Ｈｏｍｅ  Ｓｕｂｓｃｒｉｂｅｒ  Ｓｅｒｖｅｒ）や、Ｅ-ＳＭＬＣ（ＥＰＣ-Ｓｅｒｖｉｎｇ  Ｍｏｂｉｌｅ  Ｌｏｃａｔｉｏｎ  Ｃｅｎｔｅｒ）や、ＵＴＲＡＮ方式のコアネットワーク装置である交換局ＳＧＳＮ/ＭＳＣや、ＵＴＲＡＮ方式の無線アクセスネットワーク装置である無線回線制御局ＲＮＣ（Ｒａｄｉｏ  Ｎｅｔｗｏｒｋ  Ｃｏｎｔｒｏｌｌｅｒ）や無線基地局ＮｏｄｅＢや、Ｅ-ＵＴＲＡＮ方式のコアネットワーク装置である移動管理用ノードＭＭＥ（Ｍｏｂｉｌｉｔｙ  Ｍａｎａｇｅｍｅｎｔ  Ｅｎｔｉｔｙ）やゲートウェイ装置Ｓ-ＧＷ（Ｓｅｒｖｉｎｇ-Ｇａｔｅｗａｙ）や、Ｅ-ＵＴＲＡＮ方式の無線アクセスネットワーク装置である無線基地局ｅＮｏｄｅＢ等が設けられている。
【００２０】
以下、図２乃至図７を参照して、本実施形態に係る移動通信システムの動作について説明する。
【００２１】
第１に、図２乃至図５を参照して、本実施形態に係る移動通信システムにおいて、移動局ＵＥが「ＥＰＣ-ＭＯ-ＬＲ」又は「ＭＯ-ＬＲ」を利用する際の動作例１について説明する。
【００２２】
図２に示すように、ステップＳ１００１において、移動局ＵＥは、移動管理用ノードＭＭＥに対して、「Ａｔｔａｃｈ  Ｒｅｑｕｅｓｔ」或いは「ＴＡＵ（Ｔｒａｃｋｉｎｇ  Ａｒｅａ  Ｕｐｄａｔｅ）  Ｒｅｑｕｅｓｔ」を送信する。
【００２３】
ここで、「Ａｔｔａｃｈ  Ｒｅｑｕｅｓｔ」或いは「ＴＡＵ  Ｒｅｑｕｅｓｔ」には、移動局ＵＥが「ＥＰＣ-ＭＯ-ＬＲ」を利用する能力を具備しているか否かについて示す「ＥＰＣ-ＭＯ-ＬＲ能力（例えば、１ビットによって構成されている移動局情報）」が含まれていてもよい。
【００２４】
ステップＳ１００２において、移動管理用ノードＭＭＥは、受信した「Ａｔｔａｃｈ  Ｒｅｑｕｅｓｔ」或いは「ＴＡＵ  Ｒｅｑｕｅｓｔ」に含まれている「ＥＰＣ-ＭＯ-ＬＲ能力」や、移動局ＵＥの契約情報等に基づいて、移動局ＵＥが「ＥＰＣ-ＭＯ-ＬＲ」を利用可能であるが否かについて判定する。かかる判定は、省略されてもよい。
【００２５】
ステップＳ１００３において、移動管理用ノードＭＭＥは、移動局ＵＥに対して、ＥＵＴＲＡＮ方式の移動通信システムにおいて「ＥＰＣ-ＭＯ-ＬＲ」がサポートされているか否かについて示す「ＥＰＣ-ＭＯ-ＬＲサポート（例えば、１ビットによって構成されているネットワーク能力情報）」及びＵＴＲＡＮ方式の移動通信システムにおいて「ＭＯＬＲ」がサポートされているか否かについて示す「ＭＯ-ＬＲサポート（例えば、１ビットによって構成されているネットワーク能力情報）」を含む「Ａｔｔａｃｈ  Ａｃｃｅｐｔ」或いは「ＴＡＵ  Ａｃｃｅｐｔ」を送信する。
【００２６】
移動管理用ノードＭＭＥは、「ＥＰＣ-ＭＯ-ＬＲ能力」や移動局の契約情報等に基づいて、移動局ＵＥが「ＥＰＣ-ＭＯ-ＬＲ」を利用可能でないと判定した場合には、移動局ＵＥに対して、「Ａｔｔａｃｈ  Ａｃｃｅｐｔ」或いは「ＴＡＵ  Ａｃｃｅｐｔ」に「ＥＰＣ-ＭＯ-ＬＲサポート」を含めない。
【００２７】
なお、ＵＴＲＡＮ方式の移動通信システムにおいて「ＭＯ-ＬＲ」がサポートされているかを示す「ＭＯ-ＬＲサポート」を、移動管理用ノードＭＭＥは、「Ａｔｔａｃｈ  Ａｃｃｅｐｔ」或いは「ＴＡＵ  Ａｃｃｅｐｔ」に含めなくてもよい。
【００２８】
また、Ｅ-ＵＴＲＡＮ方式で待ち受けを行っている移動局ＵＥは、ステップＳ１００４において、測位イベントの発生を検出すると、ステップＳ１００５において、ステップＳ１００３で受信した「Ａｔｔａｃｈ  Ａｃｃｅｐｔ」或いは「ＴＡＵ  Ａｃｃｅｐｔ」に含まれる「ＥＰＣ-ＭＯ-ＬＲサポート」に基づいて、Ｅ-ＵＴＲＡＮ方式の移動通信システムにおいて「ＥＰＣ-ＭＯ-ＬＲ」がサポートされているか否かについて判定する。
【００２９】
ここで、移動局ＵＥは、受信した「Ａｔｔａｃｈ  Ａｃｃｅｐｔ」或いは「ＴＡＵ  Ａｃｃｅｐｔ」に「ＭＯ-ＬＲサポート」が含まれる場合、かかる「ＭＯ-ＬＲサポート」に基づいて、ＵＴＲＡＮ方式の移動通信システムにおいて「ＭＯ-ＬＲ」がサポートされているか否かについて判定してもよい。
【００３０】
移動局ＵＥは、Ｅ-ＵＴＲＡＮ方式の移動通信システムにおいて「ＥＰＣ-ＭＯ-ＬＲ」がサポートされていると判定した場合、ステップＳ１００６ａにおいて、移動管理用ノードＭＭＥに対して、「ＮＡＳ  ＥＰＣ-ＭＯ-ＬＲ  Ｒｅｑｕｅｓｔ」を送信する。
【００３１】
一方、移動局ＵＥは、Ｅ-ＵＴＲＡＮ方式の移動通信システムにおいて「ＥＰＣ-ＭＯＬＲ」がサポートされていないと判定した場合で、かつ、ＵＴＲＡＮ方式の移動通信システムにおいて「ＭＯ-ＬＲ」がサポートされていると判定した場合、図３に示す「ＣＳ  Ｆａｌｌｂａｃｋ処理」を行った後、ステップＳ１００６ｂにおいて、交換局ＳＧＳＮ/ＭＳＣに対して、「ＮＡＳ  ＭＯ-ＬＲ  Ｒｅｑｕｅｓｔ」を送信する。
【００３２】
ここで、移動局ＵＥは、Ｅ-ＵＴＲＡＮ方式の移動通信システムにおいて「ＥＰＣ-ＭＯ-ＬＲ」がサポートされていないと判定した場合には、ＵＴＲＡＮ方式の移動通信システムにおいて「ＭＯ-ＬＲ」がサポートされているか否かに関係なく、図３に示す「ＣＳ  Ｆａｌｌｂａｃｋ処理」を行った後、ステップＳ１００６ｂにおいて、交換局ＳＧＳＮ/ＭＳＣに対して、「ＮＡＳ  ＭＯ-ＬＲ  Ｒｅｑｕｅｓｔ」を送信してもよい。
【００３３】
図４に、ステップＳ１００６ａ以降の動作について示す。ここで、図４に示す「２．ＮＡＳ  ＭＯ-ＬＲ  Ｒｅｑｕｅｓｔ」が、ステップＳ１００６ａにおいて移動局ＵＥによって送信される「ＮＡＳ  ＭＯ-ＬＲ  Ｒｅｑｕｅｓｔ」に対応する。
【００３４】
なお、図４に示す「１．ＵＥ  Ｔｒｉｇｇｅｒｅｄ  Ｓｅｒｖｉｃｅ  Ｒｅｑｕｅｓｔ」は、移動局ＵＥがアイドル状態である場合にのみ行われる動作である。
【００３５】
図５に、ステップＳ１００６ｂ以降の動作について示す。ここで、図５に示す「４．Ｌｏｃａｔｉｏｎ  Ｓｅｒｖｉｃｅｓ  Ｉｎｖｏｋｅ」が、ステップＳ１００６ｂにおいて移動局ＵＥによって送信される「ＮＡＳ  ＭＯ-ＬＲ  Ｒｅｑｕｅｓｔ」に対応する。
【００３６】
第２に、図３乃至図６を参照して、本実施形態に係る移動通信システムにおいて、移動局ＵＥが「ＥＰＣ-ＭＯ-ＬＲ」又は「ＭＯ-ＬＲ」を利用する際の動作例２について説明する。
【００３７】
図６に示すように、ステップＳ２００１において、移動局ＵＥは、交換局ＳＧＳＮ/ＭＳＣに対して、「Ａｔｔａｃｈ  Ｒｅｑｕｅｓｔ」或いは「ＲＡＵ（Ｒｏｕｔｉｎｇ  Ａｒｅａ  Ｕｐｄａｔｅ）  Ｒｅｑｕｅｓｔ」を送信する。なお、「ＲＡＵ  Ｒｅｑｕｅｓｔ」は、交換局ＭＳＣに対して送信される場合、「ＬＡＵ（Ｌｏｃａｔｉｏｎ  Ａｒｅａ  Ｕｐｄｔｅ）  Ｒｅｑｕｅｓｔ」となる。
【００３８】
ここで、「Ａｔｔａｃｈ  Ｒｅｑｕｅｓｔ」或いは「ＲＡＵ  Ｒｅｑｕｅｓｔ」には、「ＥＰＣ-ＭＯ-ＬＲ能力」が含まれていてもよい。
【００３９】
ステップＳ２００２において、交換局ＳＧＳＮ/ＭＳＣは、受信した「Ａｔｔａｃｈ  Ｒｅｑｕｅｓｔ」或いは「ＲＡＵ  Ｒｅｑｕｅｓｔ」に含まれている「ＥＰＣ-ＭＯ-ＬＲ能力」や、移動局ＵＥの契約情報等に基づいて、移動局ＵＥが「ＥＰＣ-ＭＯ-ＬＲ」を利用可能であるが否かについて判定する。かかる判定は、省略されてもよい。
【００４０】
ステップＳ２００３において、交換局ＳＧＳＮ/ＭＳＣは、移動局ＵＥに対して、Ｅ-ＵＴＲＡＮ方式の移動通信システムにおいて「ＥＰＣ-ＭＯ-ＬＲ」がサポートされているか否かについて示す「ＥＰＣ-ＭＯ-ＬＲサポート（例えば、１ビットによって構成されているネットワーク能力情報）」及びＵＴＲＡＮ方式の移動通信システムにおいて「ＭＯ-ＬＲ」がサポートされているか否かについて示す「ＭＯ-ＬＲサポート（例えば、１ビットによって構成されているネットワーク能力情報）」を含む「Ａｔｔａｃｈ  Ａｃｃｅｐｔ」或いは「ＲＡＵ  Ａｃｃｅｐｔ」を送信する。なお、「ＲＡＵ  Ａｃｃｅｐｔ」は、交換局ＭＳＣによって送信される場合、「ＬＡＵ（Ｌｏｃａｔｉｏｎ  Ａｒｅａ  Ｕｐｄｔｅ）  Ａｃｃｅｐｔ」となる。
【００４１】
交換局ＳＧＳＮ/ＭＳＣは、「ＥＰＣ-ＭＯ-ＬＲ能力」や移動局の契約情報等に基づいて、移動局ＵＥが「ＥＰＣ-ＭＯ-ＬＲ」を利用可能でないと判定した場合には、移動局ＵＥに対して、「Ａｔｔａｃｈ  Ａｃｃｅｐｔ」或いは「ＲＡＵ  Ａｃｃｅｐｔ」に「ＥＰＣ-ＭＯ-ＬＲサポート」を含めない。
【００４２】
なお、ＵＴＲＡＮ方式の移動通信システムにおいて「ＭＯ-ＬＲ」がサポートされているかを示す「ＭＯ-ＬＲサポート」を、交換局ＳＧＳＮ/ＭＳＣは、「Ａｔｔａｃｈ  Ａｃｃｅｐｔ」或いは「ＲＡＵ  Ａｃｃｅｐｔ」に含めなくてもよい。
【００４３】
その後、移動局ＵＥは、通信を開始し、さらに、ステップＳ２００４において、ＵＴＲＡＮ方式からＥ-ＵＴＲＡＮ方式への切り替え処理を行う。
【００４４】
Ｅ-ＵＴＲＡＮ方式で通信中の移動局ＵＥは、ステップＳ２００５において、測位イベントの発生を検出すると、ステップＳ２００６において、ステップＳ２００３で受信した「Ａｔｔａｃｈ  Ａｃｃｅｐｔ」或いは「ＲＡＵ  Ａｃｃｅｐｔ」に含まれる「ＥＰＣＭＯ-ＬＲサポート」に基づいて、Ｅ-ＵＴＲＡＮ方式の移動通信システムにおいて「ＥＰＣ-ＭＯ-ＬＲ」がサポートされているか否かについて判定する。
【００４５】
ここで、移動局ＵＥは、受信した「Ａｔｔａｃｈ  Ａｃｃｅｐｔ」或いは「ＲＡＵ  Ａｃｃｅｐｔ」に「ＭＯ-ＬＲサポート」が含まれる場合、かかる「ＭＯ-ＬＲサポート」に基づいて、ＵＴＲＡＮ方式の移動通信システムにおいて「ＭＯ-ＬＲ」がサポートされているか否かについて判定してもよい。
【００４６】
移動局ＵＥは、Ｅ-ＵＴＲＡＮ方式の移動通信システムにおいて「ＥＰＣ-ＭＯ-ＬＲ」がサポートされていると判定した場合、ステップＳ２００７ａにおいて、移動管理用ノードＭＭＥに対して、「ＮＡＳ  ＥＰＣ-ＭＯ-ＬＲ  Ｒｅｑｕｅｓｔ」を送信する。
【００４７】
一方、移動局ＵＥは、Ｅ-ＵＴＲＡＮ方式の移動通信システムにおいて「ＥＰＣ-ＭＯＬＲ」がサポートされていないと判定した場合で、かつ、ＵＴＲＡＮ方式の移動通信システムにおいて「ＭＯ-ＬＲ」がサポートされていると判定した場合、図３に示す「ＣＳ  Ｆａｌｌｂａｃｋ処理」を行った後、ステップＳ２００７ｂにおいて、交換局ＳＧＳＮ/ＭＳＣに対して、「ＮＡＳ  ＭＯ-ＬＲ  Ｒｅｑｕｅｓｔ」を送信する。
【００４８】
ここで、移動局ＵＥは、Ｅ-ＵＴＲＡＮ方式の移動通信システムにおいて「ＥＰＣ-ＭＯ-ＬＲ」がサポートされていないと判定した場合には、ＵＴＲＡＮ方式の移動通信システムにおいて「ＭＯ-ＬＲ」がサポートされているか否かに関係なく、図３に示す「ＣＳ  Ｆａｌｌｂａｃｋ処理」を行った後、ステップＳ２００７ｂにおいて、交換局ＳＧＳＮ/ＭＳＣに対して、「ＮＡＳ  ＭＯ-ＬＲ  Ｒｅｑｕｅｓｔ」を送信してもよい。
【００４９】
図４に、ステップＳ２００７ａ以降の動作について示し、図５に、ステップＳ２００７ｂ以降の動作について示す。
【００５０】
第３に、図３乃至図５、図７を参照して、本実施形態に係る移動通信システムにおいて、移動局ＵＥが「ＥＰＣ-ＭＯ-ＬＲ」又は「ＭＯ-ＬＲ」を利用する際の動作例３について説明する。
【００５１】
図７に示すように、ステップＳ３００１において、移動局ＵＥは、移動管理用ノードＭＭＥに対して、「ＣＳ  Ｆａｌｌｂａｃｋ処理」の開始を要求する「Ｅｘｔｅｎｄｅｄ  Ｓｅｒｖｉｃｅ  Ｒｅｑｕｅｓｔ」を送信する。
【００５２】
ステップＳ３００２において、移動管理用ノードＭＭＥは、Ｅ-ＵＴＲＡＮ方式の移動通信システムにおいて「ＥＰＣ-ＭＯ-ＬＲ」がサポートされているか否かについて、及び、ＵＴＲＡＮ方式の移動通信システムにおいて「ＭＯ-ＬＲ」がサポートされているか否かについて判定する。
【００５３】
Ｅ-ＵＴＲＡＮ方式の移動通信システムにおいて「ＥＰＣ-ＭＯ-ＬＲ」がサポートされていると判定された場合、ステップＳ３００３ａにおいて、移動管理用ノードＭＭＥは、移動局ＵＥに対して、かかる判定結果を示す「ＥＰＣ-ＭＯ-ＬＲサポート」を含む「Ｅｘｔｅｎｄｅｄ  Ｓｅｒｖｉｃｅ  Ｒｅｊｅｃｔ」を送信し、ステップＳ３００３ｂにおいて、移動局ＵＥは、移動管理用ノードＭＭＥに対して、「ＮＡＳ  ＥＰＣ-ＭＯ-ＬＲ  Ｒｅｑｕｅｓｔ」を送信する。その後、図４に示す動作が行われる。
【００５４】
なお、「Ｅｘｔｅｎｄｅｄ  Ｓｅｒｖｉｃｅ  Ｒｅｊｅｃｔ」は、移動管理用ノードＭＭＥによってＥ-ＵＴＲＡＮに対して送信されるＳ１-ＡＰ信号であってもよく、かかるＳ１-ＡＰ信号が、Ｅ-ＵＴＲＡＮを介して移動局ＵＥに対して「ＥＰＣ-ＭＯ-ＬＲサポート」を通知してもよい。
【００５５】
一方、Ｅ-ＵＴＲＡＮ方式の移動通信システムにおいて「ＥＰＣ-ＭＯ-ＬＲ」がサポートされていないと判定された場合で、かつ、ＵＴＲＡＮ方式の移動通信システムにおいて「ＭＯ-ＬＲ」がサポートされていると判定された場合、ステップＳ３００１に引き続き、図３に示す「ＣＳ  Ｆａｌｌｂａｃｋ処理」が行われた後、ステップＳ３００３ｃにおいて、移動局ＵＥは、交換局ＳＧＳＮ/ＭＳＣに対して、「ＮＡＳ  ＭＯ-ＬＲ  Ｒｅｑｕｅｓｔ」を送信する。その後、図５に示す動作が行われる。
【００５６】
また、Ｅ-ＵＴＲＡＮ方式の移動通信システムにおいて「ＥＰＣ-ＭＯ-ＬＲ」がサポートされていないと判定された場合で、かつ、ＵＴＲＡＮ方式の移動通信システムにおいて「ＭＯ-ＬＲ」がサポートされていないと判定された場合、移動管理用ノードＭＭＥは、移動局ＵＥに対して、かかる判定結果を含む「Ｅｘｔｅｎｄｅｄ  Ｓｅｒｖｉｃｅ  Ｒｅｊｅｃｔ」を送信する。
【００５７】
なお、「Ｅｘｔｅｎｄｅｄ  Ｓｅｒｖｉｃｅ  Ｒｅｊｅｃｔ」は、移動管理用ノードＭＭＥによってＥ-ＵＴＲＡＮに送信されるＳ１-ＡＰ信号であってもよく、かかるＳ１-ＡＰ信号が、Ｅ-ＵＴＲＡＮを介して、移動局ＵＥに対して、移動局ＵＥからの要求に応じて位置情報を提供する測位サービスが提供不可であることを通知してもよい。
【００５８】
図８に示すように、本実施形態に係る移動局ＵＥは、受信部１１と、制御部１２とを具備している。
【００５９】
受信部１１は、移動管理用ノードＭＭＥから、「Ａｔｔａｃｈ  Ａｃｃｅｐｔ」や「ＴＡＵ  Ａｃｃｅｐｔ」や「Ｅｘｔｅｎｄｅｄ  Ｓｅｒｖｉｃｅ  Ｒｅｊｅｃｔ」等を受信するように構成されている。
【００６０】
また、受信部１１は、交換局ＳＧＳＮ/ＭＳＣから、「Ａｔｔａｃｈ  Ａｃｃｅｐｔ」や「ＲＡＵ  Ａｃｃｅｐｔ」等を受信するように構成されている。
【００６１】
ここで、図９を参照して、制御部１２の動作について説明する。
【００６２】
図９に示すように、制御部１２は、受信部１１によって受信された「Ａｔｔａｃｈ  Ａｃｃｅｐｔ」や「ＴＡＵ  Ａｃｃｅｐｔ」や「ＲＡＵ  Ａｃｃｅｐｔ」や「Ｅｘｔｅｎｄｅｄ  Ｓｅｒｖｉｃｅ  Ｒｅｊｅｃｔ」に、Ｅ-ＵＴＲＡＮ方式の移動通信システムにおいて「ＥＰＣ-ＭＯ-ＬＲ」がサポートされている旨を示す「ＥＰＣ-ＭＯ-ＬＲサポート」が含まれているか否かについて判定する。
【００６３】
「ＹＥＳ」の場合、本動作は、ステップＳ１０２に進み、「ＮＯ」の場合、本動作は、ステップＳ１０３に進む。
【００６４】
ステップＳ１０２において、制御部１２は、移動管理用ノードＭＭＥに対して、「ＮＡＳ  ＥＰＣ-ＭＯ-ＬＲ  Ｒｅｑｕｅｓｔ」を送信する。
【００６５】
ステップＳ１０３において、制御部１２は、受信部１１によって受信された「Ａｔｔａｃｈ  Ａｃｃｅｐｔ」や「ＴＡＵ  Ａｃｃｅｐｔ」や「ＲＡＵ  Ａｃｃｅｐｔ」や「Ｅｘｔｅｎｄｅｄ  Ｓｅｒｖｉｃｅ  Ｒｅｊｅｃｔ」に、ＵＴＲＡＮ方式の移動通信システムにおいて「ＭＯ-ＬＲ」がサポートされている旨を示す「ＭＯ-ＬＲサポート」が含まれているか否かについて判定する。
【００６６】
「ＹＥＳ」の場合、本動作は、ステップＳ１０４に進み、「ＮＯ」の場合、本動作は、ステップＳ１０５に進む。
【００６７】
ステップＳ１０４において、制御部１２は、「ＣＳ  Ｆａｌｌｂａｃｋ処理」を行った後、交換局ＳＧＳＮ/ＭＳＣに対して、「ＮＡＳ  ＭＯ-ＬＲ  Ｒｅｑｕｅｓｔ」を送信する。
【００６８】
ステップＳ１０５において、制御部１２は、「ＥＰＣ-ＭＯ-ＬＲ」及び「ＭＯ-ＬＲ」の両方を利用できないと判定し、エラー処理を実施する。
【００６９】
なお、制御部１２は、ステップＳ１０３を省略し、受信部１１によって受信された「Ａｔｔａｃｈ  Ａｃｃｅｐｔ」や「ＴＡＵ  Ａｃｃｅｐｔ」や「ＲＡＵ  Ａｃｃｅｐｔ」や「Ｅｘｔｅｎｄｅｄ  Ｓｅｒｖｉｃｅ  Ｒｅｊｅｃｔ」に、Ｅ-ＵＴＲＡＮ方式の移動通信システムにおいて「ＥＰＣ-ＭＯ-ＬＲ」がサポートされている旨を示す「ＥＰＣ-ＭＯＬＲサポート」が含まれていないと判定した場合、「ＣＳ  Ｆａｌｌｂａｃｋ処理」を行った後、交換局ＳＧＳＮ/ＭＳＣに対して、「ＮＡＳ  ＭＯ-ＬＲ  Ｒｅｑｕｅｓｔ」を送信してもよい。
【００７０】
本発明の第１の実施形態に係る移動通信システムによれば、移動局ＵＥが、測位サービスを利用する際に、「ＥＰＣ-ＭＯ-ＬＲサポート」に基づいて「ＣＳ  Ｆａｌｌｂａｃｋ」を行うべきか否かについて判定することができるため、Ｅ-ＵＴＲＡＮ方式において「ＥＰＣ-ＭＯ-ＬＲ」がサポートされている場合であっても、「ＣＳ  Ｆａｌｌｂａｃｋ処理」を起動してしまい、測位遅延が増大してしまうという問題点を解決することができる。
【００７１】
また、本発明の第１の実施形態に係る移動通信システムによれば、ネットワークオペレータが、移動局ＵＥがＥ-ＵＴＲＡＮ方式及びＵＴＲＡＮ方式のどちらで測位サービスを利用するべきかについて指定することができる。
【００７２】
以上に述べた本実施形態の特徴は、以下のように表現されていてもよい。
【００７３】
本実施形態の第１の特徴は、移動通信方法であって、移動局ＵＥが、Ｅ-ＵＴＲＡＮ方式（回線交換サービスに対応していない第１通信方式）の移動管理用ノードＭＭＥ（コアネットワーク装置）から受信した「Ａｔｔａｃｈ  Ａｃｃｅｐｔ（位置登録受付信号）」或いは「ＴＡＵ  Ａｃｃｅｐｔ（位置情報更新受付信号）」に含まれる「ＥＰＣ-ＭＯ-ＬＲサポート（ネットワーク能力情報）」に基づいて、Ｅ-ＵＴＲＡＮ方式の移動通信システムにおいて「ＥＰＣ-ＭＯ-ＬＲ（第１通信方式において所定移動局からの要求に応じて位置情報を提供する測位サービス）」がサポートされていないと判定した場合に、Ｅ-ＵＴＲＡＮ方式（第１通信方式）の移動通信システムにおいてコネクションを確立した後、Ｅ-ＵＴＲＡＮ方式からＵＴＲＡＮ方式（回線交換サービスに対応している第２通信方式）に切り替え、ＵＴＲＡＮ方式の交換局ＳＧＳＮ/ＭＳＣ（コアネットワーク装置）に対して、「ＮＡＳ  ＭＯ-ＬＲ  Ｒｅｑｕｅｓｔ（測位サービスの利用要求信号）」を送信する工程を有することを要旨とする。
【００７４】
本実施形態の第１の特徴において、上述の工程において、移動局ＵＥは、「ＥＰＣ-ＭＯ-ＬＲサポート」及び「ＭＯ-ＬＲサポート」に基づいて、Ｅ-ＵＴＲＡＮ方式の移動通信システムにおいて「ＥＰＣ-ＭＯ-ＬＲ」がサポートされていないと判定し、かつ、ＵＴＲＡＮ方式の移動通信システムにおいて「ＭＯ-ＬＲ」がサポートされていると判定した場合に、Ｅ-ＵＴＲＡＮ方式の移動通信システムにおいてコネクションを確立した後、ＥＵＴＲＡＮ方式からＵＴＲＡＮ方式に切り替え、交換局ＳＧＳＮ/ＭＳＣに対して、「ＮＡＳ  ＭＯ-ＬＲ  Ｒｅｑｕｅｓｔ」を送信してもよい。
【００７５】
本実施形態の第２の特徴は、移動通信方法であって、移動局ＵＥが、交換局ＳＧＳＮ/ＭＳＣから、「Ａｔｔａｃｈ  Ａｃｃｅｐｔ」或いは「ＲＡＵ  Ａｃｃｅｐｔ（位置情報更新受付信号）」を受信する工程Ａと、移動局ＵＥが、ＵＴＲＡＮ方式の移動通信システムにおいてコネクションを確立し、ＵＴＲＡＮ方式からＥ-ＵＴＲＡＮ方式に切り替えた後に、「Ａｔｔａｃｈ  Ａｃｃｅｐｔ」或いは「ＲＡＵ  Ａｃｃｅｐｔ」に含まれる「ＥＰＣ-ＭＯ-ＬＲサポート」に基づいて、Ｅ-ＵＴＲＡＮ方式の移動通信システムにおいて「ＥＰＣ-ＭＯ-ＬＲ」がサポートされていないと判定した場合に、Ｅ-ＵＴＲＡＮ方式からＵＴＲＡＮ方式に切り替え、交換局ＳＧＳＮ/ＭＳＣに対して、「ＮＡＳ  ＭＯ-ＬＲ  Ｒｅｑｕｅｓｔ」を送信する工程Ｂとを有することを要旨とする。
【００７６】
本実施形態の第２の特徴において、工程Ｂにおいて、移動局ＵＥは、「ＥＰＣ-ＭＯ-ＬＲサポート」及び「ＭＯ-ＬＲサポート」に基づいて、Ｅ-ＵＴＲＡＮ方式の移動通信システムにおいて「ＥＰＣ-ＭＯ-ＬＲ」がサポートされていないと判定し、かつ、ＵＴＲＡＮ方式の移動通信システムにおいて「ＭＯ-ＬＲ」がサポートされていると判定した場合に、Ｅ-ＵＴＲＡＮ方式からＵＴＲＡＮ方式に切り替え、交換局ＳＧＳＮ/ＭＳＣに対して、「ＮＡＳ  ＭＯ-ＬＲ  Ｒｅｑｕｅｓｔ」を送信してもよい。
【００７７】
本実施形態の第３の特徴は、移動通信方法であって、移動局ＵＥが、移動管理用ノードＭＭＥから受信した「Ｅｘｔｅｎｄｅｄ  Ｓｅｒｖｉｃｅ  Ｒｅｊｅｃｔ（サービス拒絶信号）」に含まれる「ＥＰＣ-ＭＯ-ＬＲサポート」に基づいて、Ｅ-ＵＴＲＡＮ方式の移動通信システムにおいて「ＥＰＣ-ＭＯ-ＬＲ」がサポートされていないと判定した場合に、Ｅ-ＵＴＲＡＮ方式の移動通信システムにおいてコネクションを確立した後、Ｅ-ＵＴＲＡＮ方式からＵＴＲＡＮ方式に切り替え、交換局ＳＧＳＮ/ＭＳＣに対して、「ＮＡＳ  ＭＯ-ＬＲ  Ｒｅｑｕｅｓｔ」を送信する工程を有することを要旨とする。
【００７８】
本実施形態の第３の特徴において、上述の工程において、移動局ＵＥは、上述の「ＥＰＣ-ＭＯ-ＬＲサポート」及び「ＭＯ-ＬＲサポート」に基づいて、Ｅ-ＵＴＲＡＮ方式の移動通信システムにおいて「ＥＰＣ-ＭＯ-ＬＲ」がサポートされていないと判定し、かつ、ＵＴＲＡＮ方式の移動通信システムにおいて「ＭＯ-ＬＲ」がサポートされていると判定した場合に、Ｅ-ＵＴＲＡＮ方式の移動通信システムにおいてコネクションを確立した後、Ｅ-ＵＴＲＡＮ方式からＵＴＲＡＮ方式に切り替え、交換局ＳＧＳＮ/ＭＳＣ装置に対して、「ＮＡＳ  ＭＯ-ＬＲ  Ｒｅｑｕｅｓｔ」を送信する工程を有してもよい。
【００７９】
本実施形態の第４の特徴は、移動局ＵＥであって、移動管理用ノードＭＭＥから受信した「Ａｔｔａｃｈ  Ａｃｃｅｐｔ」或いは「ＴＡＵ  Ａｃｃｅｐｔ」に含まれる「ＥＰＣ-ＭＯ-ＬＲサポート」に基づいて、Ｅ-ＵＴＲＡＮ方式の移動通信システムにおいて「ＥＰＣ-ＭＯ-ＬＲ」がサポートされていないと判定した場合に、Ｅ-ＵＴＲＡＮ方式の移動通信システムにおいてコネクションを確立した後、Ｅ-ＵＴＲＡＮ方式からＵＴＲＡＮ方式に切り替え、交換局ＳＧＳＮ/ＭＳＣに対して、「ＮＡＳ  ＭＯ-ＬＲ  Ｒｅｑｕｅｓｔ」を送信するように構成されている制御部１２を具備することを要旨とする。
【００８０】
本実施形態の第４の特徴において、制御部１２は、「ＥＰＣ-ＭＯ-ＬＲサポート」及び「ＭＯ-ＬＲサポート」に基づいて、Ｅ-ＵＴＲＡＮ方式の移動通信システムにおいて「ＥＰＣ-ＭＯ-ＬＲ」がサポートされていないと判定し、かつ、ＵＴＲＡＮ方式の移動通信システムにおいて「ＭＯ-ＬＲ」がサポートされていると判定した場合に、Ｅ-ＵＴＲＡＮ方式の移動通信システムにおいてコネクションを確立した後、Ｅ-ＵＴＲＡＮ方式からＵＴＲＡＮ方式に切り替え、交換局ＳＧＳＮ/ＭＳＣに対して、「ＮＡＳ  ＭＯ-ＬＲ  Ｒｅｑｕｅｓｔ」を送信するように構成されていてもよい。
【００８１】
本実施形態の第５の特徴は、移動局ＵＥであって、交換局ＳＧＳＮ/ＭＳＣから、「Ａｔｔａｃｈ  Ａｃｃｅｐｔ」或いは「ＲＡＵ  Ａｃｃｅｐｔ」を受信するように構成されている受信部１１と、Ｅ-ＵＴＲＡＮ方式の移動通信システムにおいてコネクションを確立した後、「Ａｔｔａｃｈ  Ａｃｃｅｐｔ」或いは「ＲＡＵ  Ａｃｃｅｐｔ」に含まれる「ＥＰＣ-ＭＯ-ＬＲサポート」に基づいて、Ｅ-ＵＴＲＡＮ方式の移動通信システムにおいて「ＥＰＣ-ＭＯ-ＬＲ」がサポートされていないと判定した場合に、Ｅ-ＵＴＲＡＮ方式からＵＴＲＡＮ方式に切り替え、交換局ＳＧＳＮ/ＭＳＣ装置に対して、「ＮＡＳ  ＭＯ-ＬＲ  Ｒｅｑｕｅｓｔ」を送信するように構成されている制御部１２とを具備することを要旨とする。
【００８２】
本実施形態の第５の特徴において、制御部１２は、「ＥＰＣ-ＭＯ-ＬＲサポート」及び「ＭＯ-ＬＲサポート」に基づいて、Ｅ-ＵＴＲＡＮ方式の移動通信システムにおいて「ＥＰＣ-ＭＯ-ＬＲ」がサポートされていないと判定し、かつ、ＵＴＲＡＮ方式の移動通信システムにおいて「ＭＯ-ＬＲ」がサポートされていると判定した場合に、Ｅ-ＵＴＲＡＮ方式からＵＴＲＡＮ方式に切り替え、交換局ＳＧＳＮ/ＭＳＣ装置に対して、「ＮＡＳ  ＭＯ-ＬＲ  Ｒｅｑｕｅｓｔ」を送信するように構成されていてもよい。
【００８３】
本実施形態の第６の特徴は、移動局ＵＥであって、移動管理用ノードＭＭＥから受信した「Ｅｘｔｅｎｄｅｄ  Ｓｅｒｖｉｃｅ  Ｒｅｊｅｃｔ」に含まれる「ＥＰＣ-ＭＯ-ＬＲサポート」に基づいて、Ｅ-ＵＴＲＡＮ方式の移動通信システムにおいて「ＥＰＣ-ＭＯＬＲ」がサポートされていないと判定した場合に、Ｅ-ＵＴＲＡＮ方式の移動通信システムにおいてコネクションを確立した後、Ｅ-ＵＴＲＡＮ方式からＵＴＲＡＮ方式に切り替え、交換局ＳＧＳＮ/ＭＳＣ装置に対して、「ＮＡＳ  ＭＯ-ＬＲ  Ｒｅｑｕｅｓｔ」を送信するように構成されている制御部１２を具備することを要旨とする。
【００８４】
本実施形態の第６の特徴において、制御部１２は、「ＥＰＣ-ＭＯ-ＬＲサポート」及び「ＭＯ-ＬＲサポート」に基づいて、Ｅ-ＵＴＲＡＮ方式の移動通信システムにおいて「ＥＰＣ-ＭＯ-ＬＲ」がサポートされていないと判定し、かつ、ＵＴＲＡＮ方式の移動通信システムにおいて「ＭＯ-ＬＲ」がサポートされていると判定した場合に、Ｅ-ＵＴＲＡＮ方式の移動通信システムにおいてコネクションを確立した後、Ｅ-ＵＴＲＡＮ方式からＵＴＲＡＮ方式に切り替え、交換局ＳＧＳＮ/ＭＳＣ装置に対して、「ＮＡＳ  ＭＯ-ＬＲ  Ｒｅｑｕｅｓｔ」を送信するように構成されていてもよい。
【００８５】
なお、上述の移動局ＵＥ、無線基地局ｅＮｏｄｅＢ、交換局ＳＧＳＮ/ＭＳＣ及び移動管理用ノードＭＭＥの動作は、ハードウェアによって実施されてもよいし、プロセッサによって実行されるソフトウェアモジュールによって実施されてもよいし、両者の組み合わせによって実施されてもよい。
【００８６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥ、無線基地局ｅＮｏｄｅＢ、交換局ＳＧＳＮ/ＭＳＣ及び移動管理用ノードＭＭＥ内に設けられていてもよい。また、かかる記憶媒体及びプロセッサは、ディスクリートコンポーネントとして移動局ＵＥ、無線基地局ｅＮｏｄｅＢ、交換局ＳＧＳＮ/ＭＳＣ及び移動管理用ノードＭＭＥ内に設けられていてもよい。
【００８８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８９】
ｅＮｏｄｅＢ…無線基地局
ＭＭＥ…移動管理用ノード
ＵＥ…移動局
１１…受信部
１２…制御部
【図１】
2011188512.tif 000003
【図２】
2011188512.tif 000004
【図３】
2011188512.tif 000005
【図４】
2011188512.tif 000006
【図５】
2011188512.tif 000007
【図６】
2011188512.tif 000008
【図７】
2011188512.tif 000009
【図８】
2011188512.tif 000010
【図９】
2011188512.tif 000011